(57)【特許請求の範囲】
【請求項１】
画像読取部と、
前記画像読取部にシートを搬送する搬送部と、を備える画像読取装置において、
前記搬送部は、
対向ローラの下方に設けられた第一のローラと、
前記第一のローラを保持し、回転軸に回転可能に設けられた第一のローラ保持部と、
前記第一のローラを前記対向ローラに接触させるように前記第一のローラ保持部を付勢する第一の付勢部と、
を備える、第一のローラユニットと、
前記対向ローラの下方に設けられた第二のローラと、
前記第二のローラを保持し、回転軸に回転可能に設けられた第二のローラ保持部と、
前記第二のローラを前記対向ローラに接触させるように前記第二のローラ保持部を付勢する第二の付勢部と、
を備える、第二のローラユニットと、を備え、
前記第一のローラユニットと前記第二のローラユニットは、シートの搬送方向において画像読取位置の前記画像読取部の上流の位置に配置され、且つシートの搬送方向と直交する方向において異なる位置に配置され、
前記第一のローラ保持部は、前記第一のローラよりもシート搬送方向の下流に延伸した第一の延伸部を備え、
前記第二のローラ保持部は、前記第二のローラよりもシート搬送方向の下流に延伸した部分を有さないことを特徴とする画像読取装置。
【請求項２】
前記第一のローラユニットは、シートの搬送方向と直交する幅方向において中央に配置され、前記第二のローラユニットは、前記幅方向において前記第一のローラユニットの両側に配置されていることを特徴とする請求項１に記載の画像読取装置。
【請求項３】
前記第二のローラユニットは、シートの搬送方向と直交する幅方向において中央に配置され、前記第一のローラユニットは、前記幅方向において前記第二のローラユニットの両側に配置されていることを特徴とする請求項１に記載の画像読取装置。
【請求項４】
シートの搬送方向と直交する方向において、前記第一の延伸部と異なる位置でシートをガイドすることが可能な搬送ガイドを備え、
前記第一の延伸部のシート搬送方向の下流部は、前記搬送ガイドのガイド面よりも、下方に位置することを特徴とする請求項１乃至３のいずれか１項に記載の画像読取装置。
【請求項５】
画像読取部と、
前記画像読取部にシートを搬送する搬送部と、を備える画像読取装置において、
前記搬送部は、
対向ローラの下方に設けられた第一のローラと、
前記第一のローラを保持し、回転軸に対して回転可能に設けられた第一のローラ保持部と、
前記第一のローラを前記第一の対向ローラに接触させるように前記第一のローラ保持部を付勢する第一の付勢部と、
を備える、第一のローラユニットと、
前記対向ローラの下方に設けられた第二のローラと、
前記第二のローラを保持し、回転軸に対して回転可能に設けられた第二のローラ保持部と、
前記第二のローラを前記第二の対向ローラに接触させるように前記第二のローラ保持部を付勢する第二の付勢部と、
を備える、第二のローラユニットと、を備え、
前記第一のローラユニットと前記第二のローラユニットは、シートの搬送方向において画像読取位置の前記画像読取部の上流の位置に配置され、且つシートの搬送方向と直交する方向において異なる位置に配置され、
前記第一のローラ保持部は、前記第一の従動ローラよりもシート搬送方向の下流に延伸した第一の延伸部を備え、
前記第二のローラ保持部は、前記第二の従動ローラよりもシート搬送方向の下流に延伸した第二の延伸部を備え、
前記第一の延伸部は、前記第二の延伸部よりも、延伸した量が多いことを特徴とする画像読取装置。
【請求項６】
前記第一のローラユニットは、シートの搬送方向と直交する幅方向において中央に配置され、前記第二のローラユニットは、前記幅方向において前記第一のローラユニットの両側に配置されていることを特徴とする請求項５に記載の画像読取装置。
【請求項７】
前記第二のローラユニットは、シートの搬送方向と直交する幅方向において中央に配置され、前記第一のローラユニットは、前記幅方向における前記第二のローラユニットの両側に配置されていることを特徴とする請求項５に記載の画像読取装置。
【請求項８】
シートの搬送方向と直交する方向において、前記第一の延伸部と異なる位置でシートをガイドすることが可能な搬送ガイドを備え、
前記第一の延伸部のシート搬送方向の下流部は、前記搬送ガイドのガイド面よりも、下方に位置することを特徴とする請求項５乃至７のいずれか１項に記載の画像読取装置。
【請求項９】
前記対向ローラは、駆動源から駆動を受けて回転をする駆動ローラであることを特徴とする請求項１乃至８のいずれか１項に記載の画像読取装置。
【請求項１０】
画像読取部と、
前記画像読取部にシートを搬送する搬送部と、を備える画像読取装置において、
前記搬送部は、
駆動ローラと、
前記駆動ローラに接触可能に設けられ、シート搬送方向と直交する方向に複数配置された従動ローラと、
前記従動ローラのそれぞれを支持するための複数のローラ保持部と、
前記ローラ保持部のそれぞれに設けられ、シート搬送方向の下流に延伸する延伸部と、を備え、
前記複数のローラ保持部は、前記シート搬送方向における前記延伸部の長さが互いに異なる２つのローラ保持部を含むことを特徴とする画像読取装置。
【請求項１１】
シート搬送方向と直交する幅方向における中央側の前記従動ローラを保持する前記ローラ保持部の前記延伸部の長さと、前記中央側の前記従動ローラよりも前記幅方向における両端側の前記従動ローラを保持する前記ローラ保持部の前記延伸部の長さとが異なることを特徴とする請求項１０に記載の画像読取装置。
【請求項１２】
前記中央側の前記従動ローラを保持する前記ローラ保持部の前記延伸部の長さは、前記両端側の前記従動ローラを保持する前記ローラ保持部の前記延伸部の長さよりも長いことを特徴とする請求項１１に記載の画像読取装置。
【請求項１３】
前記両端側の前記従動ローラを保持する前記ローラ保持部の前記延伸部の長さは前記中央側の前記従動ローラを保持する前記ローラ保持部の前記延伸部の長さよりも長いことを特徴とする請求項１１に記載の画像読取装置。
【請求項１４】
前記ローラ保持部のそれぞれの前記延伸部は前記従動ローラの外周よりもシート搬送方向の下流に延伸していることを特徴とする請求項１０乃至１３のいずれか１項に記載の画像読取装置。
【請求項１５】
画像読取部と、
前記画像読取部にシートを搬送する搬送部と、を備える画像読取装置において、
前記搬送部は、
駆動ローラと、
前記駆動ローラに接触可能に設けられ、シート搬送方向と直交する方向に複数配置された従動ローラと、
前記従動ローラのそれぞれを支持するための複数のローラ保持部と、
を備え、
複数の前記ローラ保持部は、シート搬送方向の下流に延伸する延伸部を有するものと、シート搬送方向の下流に延伸する延伸部を有さないものとを含むことを特徴とする画像読取装置。
【請求項１６】
シート搬送方向と直交する幅方向において中央側の前記従動ローラを保持する前記ローラ保持部は前記延伸部を有し、前記中央側の従動ローラよりも前記幅方向における両端側の前記従動ローラを保持する前記ローラ保持部は前記延伸部を有さないことを特徴とする請求項１５に記載の画像読取装置。
【請求項１７】
シート搬送方向と直交する幅方向において中央側の前記従動ローラを保持する前記ローラ保持部は前記延伸部を有さず、前記中央側の従動ローラよりも前記幅方向における両端側の前記従動ローラを保持する前記ローラ保持部は前記延伸部を有することを特徴とする請求項１５に記載の画像読取装置。
【請求項１８】
画像形成を行う画像形成部と、
請求項１乃至１７のいずれか１項に記載の画像読取装置と、
を有することを特徴とする画像形成装置。
【発明の詳細な説明】
【技術分野】
【０００１】
本発明は、画像形成装置に用いられる画像読取装置、及び画像形成装置に関する。
【背景技術】
【０００２】
従来、複写機やファクシミリ装置、複合機等の画像形成装置に設けられる画像読取装置には、自動原稿搬送装置（以下、ＡＤＦ：Ａｕｔｏ  Ｄｏｃｕｍｅｎｔ  Ｆｅｅｄｅｒと呼ぶ）と呼ばれるシート搬送装置を備えたものがある。
【０００３】
ＡＤＦは、シートを載置する給送シート載置部からシートを搬送するシート搬送部を経由して、前記給送シート載置部の下方に設けられた排出シート載置部にシートを搬送し、搬送する途中で画像読取部においてシートの画像を読取る。前記ＡＤＦのシート搬送経路には、湾曲した搬送経路を備えるものがある。前記給送シート載置部から分離給送されたシートは、湾曲した搬送経路を通過して、シートの画像を読取る画像読取部へ搬送される。
【０００４】
前記画像読取装置では、前記ＡＤＦによってシートを搬送しながら、画像読取部により画像の読み取りが行われる、いわゆるシートスルー方式の画像読取が行われる。シートスルー方式による画像読取では、画像読取部のシートの搬送方向直上流に設けられた搬送ローラのニップをシート後端が通過した際にシートに加わるショック（以下、後端抜けショックと呼ぶ）が問題となっている。後端抜けショックが発生すると、読取画像に画像ブレや色ずれなどの画像不良が発生することが問題になっている。後端抜けショックの原因は大きく２つに大別される。
【０００５】
１つは、搬送方向における上流に配置されている搬送ローラの搬送速度と、その搬送ローラの下流に設けられている搬送ローラの搬送速度の僅かな速度差が原因となるものである。各搬送ローラの搬送速度の速度差があるために、シート後端が上流側の搬送ローラのニップを通過した際に、シートが加速されてしまい、シートにショックが加わってしまう。
【０００６】
もう１つは、搬送ローラのニップと、搬送ローラの下流に配置されている搬送ガイドとの間に高低差が存在することが原因となるものである。シート後端が搬送ローラのニップを抜けた際に、シート後端が搬送ガイドに着地することによってシートの挙動が不安定となり後端抜けショックが発生する。
【０００７】
前者の原因に対しては、上流と下流の搬送ローラのそれぞれの外径寸法を可能な限り同じにするなどして、上流の搬送ローラの搬送速度と、その搬送方向下流に設けられ搬送ローラの搬送速度との速度差を軽減することにより対策が可能である。
【０００８】
後者の原因に対しては、特許文献１において、原稿の画像記録面の側から支持するフラッパを設け、フラッパを駆動する駆動手段によりフラッパを動作させることで後端抜けショックを低減させる方法が提案されている。
【先行技術文献】
【特許文献】
【０００９】
【特許文献１】特開２００４−２５６２２９号公報
【発明の概要】
【発明が解決しようとする課題】
【００１０】
前記特許文献１の装置の場合、フラッパを駆動させる駆動手段を設けなければならない。そのため、構成が複雑となりコストアップや、装置の大型化につながるという問題がある。
【００１１】
本発明は上記課題を鑑みてなされたものであり、本発明の目的は、簡易な構成により、後端抜けショックを軽減させることが可能な画像読取装置、及び画像形成装置を提供することである。
【課題を解決するための手段】
【００１２】
上記目的を達成するための本発明の代表的な構成は、画像読取部と、前記画像読取部にシートを搬送する搬送部と、を備える画像読取装置において、前記搬送部は、対向ローラの下方に設けられた第一のローラと、前記第一のローラを保持し、回転軸に回転可能に設けられた第一のローラ保持部と、前記第一のローラを前記対向ローラに接触させるように前記第一のローラ保持部を付勢する第一の付勢部と、を備える、第一のローラユニットと、前記対向ローラの下方に設けられた第二のローラと、前記第二のローラを保持し、回転軸に回転可能に設けられた第二のローラ保持部と、前記第二のローラを前記対向ローラに接触させるように前記第二のローラ保持部を付勢する第二の付勢部と、を備える、第二のローラユニットと、を備え、前記第一のローラユニットと前記第二のローラユニットは、シートの搬送方向において画像読取位置の前記画像読取部の上流の位置に配置され、且つシートの搬送方向と直交する方向において異なる位置に配置され、前記第一のローラ保持部は、前記第一のローラよりもシート搬送方向の下流に延伸した第一の延伸部を備え、前記第二のローラ保持部は、前記第二のローラよりもシート搬送方向の下流に延伸した部分を有さないことを特徴とする画像読取装置である。
【発明の効果】
【００１３】
本発明によれば、簡易な構成により後端抜けショックを軽減させることが可能な画像読取装置、及び画像形成装置を提供することができる。
【図面の簡単な説明】
【００１４】
【図１】第１の実施形態の概要を示した図
【図２】シート搬送部の概要を示した図
【図３】第２の実施形態の概要を示した図
【図４】第３の実施形態の概要を示した図
【図５】第４の実施形態の概要を示した図
【図６】画像読取装置を備えた画像形成装置の概要を示した図
【発明を実施するための形態】
【００１５】
〔実施形態１〕
図１、２、６を用いて実施形態１について説明する。ただし、以下の実施の形態は、本発明を具体化した一例であって、本発明の技術的範囲を限定するものではない。
【００１６】
図１は、従動ローラホルダー１０４ａ／１０４ｂ／１０４ｃ／１０４ｄ／１０４ｅの概要を示す図である。図２は、読み取られるシート（以下、原稿）を搬送する自動原稿搬送装置（ＡＤＦ）（以下、シート搬送装置という）２０１と、画像読取部２０２を示す図である。図６はシート搬送装置２０１と画像読取部２０２を備えた画像形成装置６０１の概略を示す図である。
【００１７】
最初に、図６を用いて、本発明の実施形態１に係るシート搬送装置２０１と画像読取部２０２を備えた画像形成装置６０１の概略構成について説明する。なお、実施形態１では画像形成装置６０１として電子写真方式の画像形成装置で説明を行うがこれに限られるものではない。画像読取装置を備え、画像形成部としてインクジェット方式を用いた画像形成装置や、画像読取装置を備えたファクシミリ装置であっても良い。
【００１８】
図６に示すように、画像形成装置６０１は画像形成部である画像形成部本体６０２と、記録紙を積載するための給紙カセット６０３と、原稿の画像読取を行うための、シート搬送装置２０１及び画像読取部２０２を備えた画像読取装置２２０とを備える。
【００１９】
給紙カセット６０３は、画像形成部本体６０２の下部に装着され、画像読取装置２２０は、画像形成部本体６０２の上部に装着される。
【００２０】
画像形成部本体６０２は、公知の電子写真方式の画像形成機構が設けられている。電子写真方式の画像形成機構は、従来周知の電子写真方式によるプリントエンジンであり、図示しないレーザ書き込み部、電子写真プロセス部、定着部等を内蔵している。本実施形態における画像形成装置６０１は、画像読取装置２２０により読み取られた画像を、画像形成部本体６０２の画像形成機構により給紙カセット６０３から搬送される記録媒体である記録紙に画像形成することができる。
【００２１】
画像読取装置２２０と、画像形成部本体６０２との間には空間が設けられ、この空間内に画像形成部本体６０２で画像が形成された記録紙を排紙積載するための本体排紙部６０４を形成している。
【００２２】
給紙カセット６０３は、内部に記録紙が収容され、収容されている記録紙は画像形成部本体６０２に設けられている図示しない給紙ローラ等により一枚ずつ分離されて、画像形成機構に供給される。
【００２３】
次に、図２を用いて、画像読取装置２２０を構成するシート搬送装置２０１と画像読取部２０２の概略構成について説明する。図２に示すように、画像読取部２０２には、複数枚の原稿を分離給送し、原稿に印字された画像を読取るためのシート搬送装置２０１を備えている。
【００２４】
シート搬送装置２０１は、次のような構成を有している。給送シート載置部２０３は、これから給送する原稿を載置するための載置部である。シート給送部を構成するピックアップローラ２０４ａ、分離ローラ２０４ｂ、リタードローラ２０４ｃは、給送シート載置部２０３に載置された原稿を１枚ずつ分離給送する。シート搬送部を構成する複数のローラは、シート給送部によって分離給送された原稿を搬送する。複数のローラは、搬送ローラ対２０５、レジストローラ対２０６、駆動ローラ２０７、従動ローラ１０３、プラテンローラ２０９、搬送ローラ対２１０、裏面プラテンローラ２１１、搬送ローラ対２１２、排出ローラ対２１３を含む。
【００２５】
排出シート載置部２１４は、排出ローラ対２１３の搬送方向下流に設けられ、シート搬送部によって搬送された原稿が載置される。
【００２６】
裏面プラテンローラ２１１に対向させて、画像読取装置２２０の筐体内部に裏面画像読取手段２１８が設けられている。裏面画像読取手段２１８は、原稿の裏面の画像を読取るためのものであり、裏面画像読取手段２１８は、不図示のＣＣＤ（ｃｈａｒｇｅ−ｃｏｕｐｌｅｄ  ｄｅｖｉｃｅ）、集光レンズ等を備え、原稿から反射される光を電気信号に変換し画像の読み取りを行う。
【００２７】
シート搬送装置２０１の下方には、シート搬送装置２０１によって搬送される原稿の表面（第１面）の画像を読取るための画像読取部２０２が設けられている。画像読取部２０２は、第１読取ガラス２１５と、第２読取ガラス２１６と、画像読取手段２１７を備える。
【００２８】
画像読取手段２１７は、裏面画像読取手段２１８と同様に、ＣＣＤ（ｃｈａｒｇｅ−ｃｏｕｐｌｅｄ  ｄｅｖｉｃｅ）、集光レンズ等を備え、原稿から反射される光を電気信号に変換し画像の読み取りを行う。画像読取手段２１７は、第１読取ガラス２１５と対向する位置、第２読取ガラス２１６と対向する位置に移動可能に設けられている。
【００２９】
第１読取ガラス２１５は、プラテンローラ２０９に対向配置される。シートスルー方式で画像の読み取りを行う場合、画像読取手段２１７は、第１読取ガラス２１５と対向する読取位置に位置し、シート搬送装置２０１で搬送された原稿の表面（第２面）の画像を読取る。
【００３０】
第２読取ガラス２１６は、書籍などの厚みのある原稿の画像を読取るために使用される。画像読取手段２１７は、第２読取ガラス２１６に置かれた書籍を、副走査方向に移動して画像を読み取る。
【００３１】
図１に示すように、搬送ガイド１０１にガイドされ搬送されて来た原稿は、駆動ローラ２０７と従動ローラ１０３に挟持され、第１読取ガラス２１５とプラテンローラ２０９との間に搬送される。原稿は、読取位置にある、画像読取手段により画像が読み取られる。その後、原稿の先端が搬送ローラ対２１０まで到達すると、原稿は、搬送ローラ対２１０に挟持される。そして、原稿は搬送ローラ対２１０と、駆動ローラ２０７及び従動ローラ１０３により搬送される。原稿が搬送方向に送られると、原稿の後端が駆動ローラ２０７と従動ローラ１０３とのニップ部から抜ける。この際に、先述した後端抜けショックという問題が発生する。
【００３２】
次に、図１を用いて、本実施形態の特徴部分である、ローラユニット１１１の構成を説明する。ローラユニット１１１は、画像読取位置にいる画像読取手段より原稿の搬送方向において直上流の位置に配置されている。
【００３３】
図１（ａ）は、図２における従動ローラ１０３の近傍の斜視図である。図１（ｂ）は、説明のために図１（ａ）の搬送ガイド１０１を削除した斜視図である。図１（ｃ）は、搬送ガイド面を有する従動ローラホルダーの説明図である。図１（ｄ）は、搬送ガイド面を有さない従動ローラホルダーの説明図である。
【００３４】
図１（ａ）（ｂ）に示されるように、ローラユニット１１１ａ／１１１ｂ／１１１ｃ／１１１ｄ／１１１ｅは、従動ローラ１０３ａ／１０３ｂ／１０３ｃ／１０３ｄ／１０３ｅと、従動ローラホルダー１０４ａ／１０４ｂ／１０４ｃ／１０４ｄ／１０４ｅ（ローラ保持部）と、従動ローラ押圧手段４０３ａ／４０３ｂ／４０３ｃ／４０３ｄ／４０３ｅ（付勢部）を備える。１１１、１０３、１０４、４０３の付番に付与されたａ、ｂ、ｃ、ｄ、ｅの符号は複数設けられたユニットの構成要素の対応を付けるための符号である。説明の際に、ユニットの区別が無く説明がされる場合には、符号を省略する。
【００３５】
従動ローラ１０３は、従動ローラ１０３に対向して設けられた駆動ローラ２０７（対向ローラ）の下方に設けられ、少なくとも３つ以上設けられている（図３）。従動ローラ１０３ａ〜ｅは、シート搬送方向と直交する方向に複数配置されており、後述する従動ローラ押圧手段４０３により駆動ローラ２０７に接触可能に設けられている。一方、駆動ローラ２０７は、シート搬送方向と直交する方向に一本のローラで構成されており、不図示の駆動源から駆動を受けて原稿を搬送する方向に回転する。なお、複数設けられる従動ローラ１０３と対応するように、駆動ローラ２０７を分割して設けてもよい。従動ローラ１０３は、ローラユニット１０４に回転可能に支持されている。従動ローラホルダー１０４は、回転軸１０２を中心に回転可能に設けられている。従動ローラ押圧手段４０３は、回転軸１０２に取りつけられたねじりコイルばねであり、従動ローラホルダー１０４を付勢して、従動ローラ１０３を駆動ローラ２０７に接触させる。
【００３６】
図１（ｃ）（ｄ）を用いて、従動ローラホルダー１０４ａ〜１０４ｅの先端部の構成を説明する。図１（ｃ）に示されるように、シート搬送方向と直交する幅方向の中心（搬送路の中央側）の従動ローラホルダー１０４ｃは、先端部１０７が従動ローラ１０３ｃの外周面よりも搬送方向下流に延伸している。延伸した先端部１０７は、原稿を搬送するための搬送ガイド面１０８を備えている。搬送ガイド面１０８の搬送方向下流部１０８ａは、搬送ガイドのガイド部１０１ａよりも下方に位置するようになっている。そのため、従動ローラ１０３と駆動ローラ２０７とのニップ部を通過した原稿が、搬送ガイド１０１に着地する際のショックを低減することができる。
【００３７】
一方、図１（ｄ）に示されるように、シート搬送方向と直交する幅方向の中心から遠い位置（搬送路の両端側）に配置されている従動ローラホルダー１０４ａ／１０４ｂ／１０４ｄ／１０４ｅの先端部は、従動ローラ１０３ａ／１０３ｂ／１０３ｄ／１０３ｅの外周面よりも下流に延伸していない。そのため、従動ローラホルダー１０４ａ／１０４ｂ／１０４ｄ／１０４ｅには、先端部に搬送ガイド面は存在しない。
【００３８】
以上の構成にすることによって、搬送される原稿の後端が駆動ローラ２０７と、従動ローラ１０３のニップ部を通過した後、原稿が搬送ガイド１０１に着地するタイミングを搬送方向と直交する方向において変えることができる。
【００３９】
即ち、従動ローラホルダー１０４ａ／１０４ｂ／１０４ｄ／１０４ｅの位置では、従動ローラホルダー１０４ａ／１０４ｂ／１０４ｄ／１０４ｅの先端部に搬送ガイド面が無いため、原稿の後端が駆動ローラ２０７と従動ローラ１０３のニップ部を通過した後、原稿はすぐに搬送ガイド１０１に着地する。一方、従動ローラホルダー１０４ｃの位置では、搬送ガイド面１０８を有するため、従動ローラホルダー１０４ａ／１０４ｂ／１０４ｄ／１０４ｅの位置と比較して遅いタイミングで原稿は搬送ガイド１０１に着地する。後端抜けショックによる色ずれ等の問題は、原稿の一部が先に搬送ガイド１０１に着地し、その後残りの一部が着地した方が、いっぺんに原稿が搬送ガイド１０１に着地する場合よりも影響が少ない。これは、原稿が搬送ガイド１０１に着地する際の原稿に生じるショックが低減されるためである。
【００４０】
なお、従動ローラホルダー１０４ａ／１０４ｂ／１０４ｃ／１０４ｄ／１０４ｅのすべてに同一長さのガイド面を設ける構成とした場合（実施形態１の従動ローラホルダー１０４ｃのような長さのものを設けた場合）は、色ずれの問題はあまり低減しなかった。この原因を推測すると、従動ローラホルダー１０４と駆動ローラ２０７との間の搬送パスが搬送方向と直交する方向全域で狭くなり、原稿を搬送する際に何らかの搬送抵抗が発生し、原稿の搬送がスムーズにいかなくなるため色ずれが生じているものと思われる。
【００４１】
本実施形態の特徴をまとめる。ローラユニット１１１は、第一のローラユニット１１１ｃと、第二のローラユニット１１１ａ、ｂ、ｄ、ｅを備えている。第一のローラユニット１１１ｃは、従動ローラ１０３ｃ（第一のローラ）と、従動ローラホルダー１０４ｃ（第一のローラ保持部）と、従動ローラ押圧手段４０３ｃ（第一の付勢部）を備えている。従動ローラホルダー１０４ｃは、従動ローラ１０３ｃよりもシート搬送方向の下流に延伸したガイド面１０８（第一の延伸部）を備えている。第二のローラユニット１１１ａ、ｂ、ｄ、ｅは、従動ローラ１０３ａ、ｂ、ｄ、ｅ（第二のローラ）と、従動ローラホルダー１０４ａ、ｂ、ｄ、ｅ（第二のローラ保持部）と、従動ローラ押圧手段４０３ａ、ｂ、ｄ、ｅ（第二の付勢部）を備えている。従動ローラホルダー１０４ａ、ｂ、ｄ、ｅは、従動ローラ１０３ａ、ｂ、ｄ、ｅよりもシート搬送方向の下流に延伸した部分を有していない。
【００４２】
上記のような構成にすることで後端抜けショックの問題を低減することができる。
【００４３】
本実施形態で説明した従動ローラホルダー１０４の搬送ガイド面１０８と同様の形状を、搬送ガイド１０１などに持たせることで同様の効果が得られることが考えられる。しかしながら、搬送ガイド１０１は、従動ローラ１０３の動きとは独立した別部品である。搬送ガイド１０１など、従動ローラと独立した部品に搬送ガイド面を設けると、部品公差や組立によるばらつきによって、搬送ガイド１０１と駆動ローラ２０７との間の搬送パスが非常に狭くなってしまうおそれがある。このように、搬送パスが狭まってしまうと、原稿の搬送抵抗が増加し、原稿の搬送がスムーズにいかず画像の読取不良や、原稿が搬送経路において詰まってしまうＪＡＭなどの問題を引き起こすおそれがある。
【００４４】
一方、本実施形態で説明したように、従動ローラ１０３を保持している従動ローラホルダー１０４に搬送ガイド面１０８を保持させせることで、部品公差や組立によるばらつきの影響を最小化できる。更に、従動ローラホルダー１０３は、回転軸１０２により回転可能に支持されており、従動ローラ１０３の動きと共に移動することができる。従動ローラ１０３と駆動ローラ２０７のニップ部を原稿が通過する際に、原稿の厚み分だけ従動ローラ１０３と駆動ローラ２０７の間隔は広がる。従動ローラホルダー１０４は、従動ローラ１０３の移動に伴い移動をし、従動ローラホルダー１０４の搬送面１０８と駆動ローラ２０７との間の搬送パスが広がる。そのため、本実施形態で説明した構成では、搬送ガイド１０１などに搬送ガイド面１０８と同様の形状を持たせる構成と比較して、搬送抵抗の増加による画像読取不良やＪＡＭなどのトラブルを引き起こすリスクが少ない。
【００４５】
なお、従動ローラ１０３を、３つ以上設ける場合には、シート搬送方向と直交する方向において、左右対象となるようにガイド面１０８が有る従動ローラホルダー１０３と、ガイド面がない従動ローラホルダー１０３を配置することが好ましい。左右対象となるように配置をすることで、原稿の後端が搬送ガイド１０１に着地タイミングを左右対象にすることができる。着地タイミングが左右対象となることにより、着地タイミングが左右対象でない時と比較して、後端抜けショックの影響を低減することができる。
【００４６】
本実施形態では、中央の従動ローラホルダー１０４ｃのみがガイド面１０８を有し、それ以外の従動ローラホルダー１０４ａ、ｂ、ｄ、ｅはガイド面を有していない。
【００４７】
以上のように、本実施の形態で説明する構成を用いれば、簡易な構成よって、原稿の後端が搬送ガイドに着地することで原稿に発生するショックを軽減した安定したシート搬送が可能となる。
【００４８】
〔実施形態２〕
図３を用いて、本発明の実施形態２について説明をする。実施形態２は、ガイド面１０８が有る従動ローラホルダー３０１と、ガイド面がない従動ローラホルダー３０１の配置が実施形態１と異なる。実施形態１と異なる点のみを説明し、実施形態１と同様の構成については説明を省略する。
【００４９】
図３（ａ）は、図２における従動ローラ１０３の近傍の斜視図である。図３（ｂ）は、説明のために図３（ａ）の搬送ガイド１０１を不図示とした斜視図である。図３（ｃ）は、搬送ガイド面を有する従動ローラホルダーの説明図である。図３（ｄ）は、搬送ガイド面を有さない従動ローラホルダーの説明図である。
【００５０】
図３（ａ）（ｂ）に示すように、実施形態２では、ローラユニット１１２ａ／１１２ｂ／１１２ｃ／１１２ｄ／１１２ｅは、従動ローラ１０３ａ／１０３ｂ／１０３ｃ／１０３ｄ／１０３ｅと、従動ローラホルダー３０１ａ／３０１ｂ／３０１ｃ／３０１ｄ／３０１ｅ（ローラ保持部）と、従動ローラ押圧手段４０３ａ／４０３ｂ／４０３ｃ／４０３ｄ／４０３ｅ（付勢部）を備える。
【００５１】
図３（ｃ）に示されるように、シート搬送方向と直交する幅方向の中心から遠い位置（搬送路の両端側）に配置されている従動ローラホルダー３０１ａ／３０１ｂ／３０１ｄ／３０１ｅは、先端部１０７が従動ローラ１０３ａ／１０３ｂ／１０３ｄ／１０３ｅの外周面よりも搬送方向下流に延伸している。延伸した先端部１０７は、原稿を搬送するための搬送ガイド面１０８を備えている。
【００５２】
一方、図３（ｄ）に示されるように、シート搬送方向と直交する幅方向の中心（搬送路の中央側）の従動ローラホルダー３０１ｃは、先端部が従動ローラ１０３ｃの外周面よりも下流に延伸していない。そのため、従動ローラホルダー３０１ｃには、先端部に搬送ガイド面は存在しない。
【００５３】
本実施形態の特徴をまとめる。ローラユニット１１２は、第一のローラユニット１１２ａ、ｂ、ｄ、ｅと、第二のローラユニット１１２ｃを備えている。第一のローラユニット１１２ａ、ｂ、ｄ、ｅは、従動ローラ１０３ａ、ｂ、ｄ、ｅ（第一のローラ）と、従動ローラホルダー３０１ａ、ｂ、ｄ、ｅ（第一のローラ保持部）と、従動ローラ押圧手段４０３ａ、ｂ、ｄ、ｅ（第一の付勢部）を備えている。従動ローラホルダー３０１ａ、ｂ、ｄ、ｅは、従動ローラ１０３ａ、ｂ、ｄ、ｅよりもシート搬送方向の下流に延伸したガイド面１０８（第一の延伸部）を備えている。第二のローラユニット１１２ｃは、従動ローラ１０３ｃ（第二のローラ）と、従動ローラホルダー３０１ｃ（第二のローラ保持部）と、従動ローラ押圧手段４０３ｃ（第二の付勢部）を備えている。従動ローラホルダー３０１ｃは、従動ローラ１０３ｃよりもシート搬送方向の下流に延伸した部分を有していない。
【００５４】
以上の構成にすることによって、搬送される原稿の後端が駆動ローラ２０７と、従動ローラ１０３のニップ部を通過した後、原稿が搬送ガイド１０１に着地するタイミングを搬送方向と直交する方向において変えることができる。実施形態２も、実施形態１と同様に後端抜けショックの影響を低減することができる。
【００５５】
〔実施形態３〕
図４を用いて、本発明の実施形態３について説明をする。実施形態３は、全ての従動ローラホルダー４０１の先端部に、原稿をガイドする搬送ガイド面が形成されており、従動ローラホルダー４０１によってガイド面の延伸している量が異なる点が実施形態１と異なる。実施形態１と異なる点のみを説明し、実施形態１と同様の構成については説明を省略する。
【００５６】
図４（ａ）は、図２における従動ローラ１０３の近傍の斜視図である。図４（ｂ）は、説明のために図４（ａ）の搬送ガイド１０１を不図示とした斜視図である。図４（ｃ）は、搬送ガイド面Ｌ１を有する従動ローラホルダーの説明図である。図４（ｄ）は、搬送ガイド面Ｌ２を有する従動ローラホルダーの説明図である。
【００５７】
図４（ａ）（ｂ）に示すように、実施形態３では、ローラユニット１１３ａ／１１３ｂ／１１３ｃ／１１３ｄ／１１３ｅは、従動ローラ１０３ａ／１０３ｂ／１０３ｃ／１０３ｄ／１０３ｅと、従動ローラホルダー４０１ａ／４０１ｂ／４０１ｃ／４０１ｄ／４０１ｅ（ローラ保持部）と、従動ローラ押圧手段４０３ａ／４０３ｂ／４０３ｃ／４０３ｄ／４０３ｅ（付勢部）を備える。
【００５８】
図４（ｃ）に示されるように、シート搬送方向と直交する幅方向の中心（搬送路の中央側）の従動ローラホルダー４０１ｃは、先端部４０４が従動ローラ１０３ｃの外周面よりも搬送方向下流に延伸している。延伸した先端部４０４は、原稿を搬送するための搬送ガイド面Ｌ１を備えている。
【００５９】
一方、図４（ｄ）に示されるように、シート搬送方向と直交する幅方向の中心から遠い位置（搬送路の両端側）に配置されている従動ローラホルダー４０１ａ／４０１ｂ／４０１ｄ／４０１ｅは、先端部４０５ａ／４０５ｂ／４０５ｄ／４０５ｅが従動ローラ１０３ａ／１０３ｂ／１０３ｄ／１０３ｅの外周面よりも搬送方向下流に延伸している。延伸した先端部４０５は、原稿を搬送するための搬送ガイド面Ｌ２を備えている。
【００６０】
搬送ガイド面Ｌ１とＬ２は、Ｌ１＞Ｌ２の関係が成り立つように搬送ガイド面の長さを変えている。Ｌ１とＬ２は、それぞれ従動ローラ１０３外周から従動ローラホルダー４０１の下流端までの長さである。
【００６１】
本実施形態の特徴をまとめる。ローラユニット１１３は、第一のローラユニット１１３ｃと、第二のローラユニット１１３ａ、ｂ、ｄ、ｅを備えている。第一のローラユニット１１３ｃは、従動ローラ１０３ｃ（第一のローラ）と、従動ローラホルダー４０１ｃ（第一のローラ保持部）と、従動ローラ押圧手段４０３ｃ（第一の付勢部）を備えている。従動ローラホルダー４０１ｃは、従動ローラ１０３ｃよりもシート搬送方向の下流に延伸したガイド面Ｌ１（第一の延伸部）を備えている。第二のローラユニット１１３ａ、ｂ、ｄ、ｅは、従動ローラ１０３ａ、ｂ、ｄ、ｅ（第二のローラ）と、従動ローラホルダー４０５ａ、ｂ、ｄ、ｅ（第二のローラ保持部）と、従動ローラ押圧手段４０３ａ、ｂ、ｄ、ｅ（第二の付勢部）を備えている。従動ローラホルダー４０５ａ、ｂ、ｄ、ｅは、従動ローラ１０３ａ、ｂ、ｄ、ｅよりもシート搬送方向の下流に延伸したガイド面Ｌ２（第二の延伸部）を備えている。ガイド面Ｌ１はガイド面Ｌ２よりも延伸している量が多い（Ｌ１＞Ｌ２）。
【００６２】
以上の構成にすることによって、原稿の後端が駆動ローラ２０７と、従動ローラ１０３のニップを通過した際に、原稿は異なる長さの搬送ガイド面Ｌ１、Ｌ２を有する従動コロホルダー４０１によりガイドされることとなる。そして、搬送ガイド面の長さが短い（Ｌ２）従動コロホルダー４０１ａ／４０１ｂ／４０１ｃ／４０１ｄが配置されている箇所では、搬送ガイド面の長さが長い（Ｌ１）従動コロホルダー４０２が配置されている箇所よりも早い段階で搬送ガイド１０１に原稿の後端が着地する。このように、搬送ガイド面の長さＬ１／Ｌ２にＬ１＞Ｌ２の関係を持たせることによって、原稿の後端が搬送ガイド１０１に着地するタイミングをずらすことができ、後端抜けショックを低減することができる。
【００６３】
〔実施形態４〕
図５を用いて、本発明の実施形態４について説明をする。実施形態４は、全ての従動ローラホルダー４０１の先端部に、原稿をガイドする搬送ガイド面が形成されており、従動ローラホルダー４０１によってガイド面の延伸している量が異なる点が実施形態１と異なる。実施形態１と異なる点のみを説明し、実施形態１と同様の構成については説明を省略する。
【００６４】
図５（ａ）は、図２における従動ローラ１０３の近傍の斜視図である。図５（ｂ）は、説明のために図５（ａ）の搬送ガイド１０１を不図示とした斜視図である。図５（ｃ）は、搬送ガイド面Ｌ３を有する従動ローラホルダーの説明図である。図５（ｄ）は、搬送ガイド面Ｌ４を有する従動ローラホルダーの説明図である。
【００６５】
図５（ａ）（ｂ）に示すように、実施形態４では、ローラユニット１１４ａ／１１４ｂ／１１４ｃ／１１４ｄ／１１４ｅは、従動ローラ１０３ａ／１０３ｂ／１０３ｃ／１０３ｄ／１０３ｅと、従動ローラホルダー５０１ａ／５０１ｂ／５０１ｃ／５０１ｄ／５０１ｅ（ローラ保持部）と、従動ローラ押圧手段４０３ａ／４０３ｂ／４０３ｃ／４０３ｄ／４０３ｅ（付勢部）を備える。
【００６６】
図５（ｃ）に示されるように、シート搬送方向と直交する幅方向の中心から遠い位置（搬送路の両端側）に配置されている従動ローラホルダー５０１ａ／５０１ｂ／５０１ｄ／５０１ｅは、先端部５０４ａ／５０４ｂ／５０４ｄ／５０４ｅが従動ローラ１０３ａ／１０３ｂ／１０３ｄ／１０３ｅの外周面よりも搬送方向下流に延伸している。延伸した先端部５０４は、原稿を搬送するための搬送ガイド面Ｌ３を備えている。
【００６７】
一方、図５（ｄ）に示されるように、シート搬送方向と直交する幅方向の中心（搬送路の中央側）の従動ローラホルダー５０１ｃは、先端部５０３が従動ローラ１０３ｃの外周面よりも搬送方向下流に延伸している。延伸した先端部５０３は、原稿を搬送するための搬送ガイド面Ｌ４を備えている。
【００６８】
搬送ガイド面Ｌ３とＬ４は、Ｌ３＞Ｌ４の関係が成り立つように搬送ガイド面の長さを変えている。Ｌ３とＬ４は、それぞれ従動ローラ１０３外周から従動ローラホルダー５０１の下流端までの長さである。
【００６９】
本実施形態の特徴をまとめる。ローラユニット１１４は、第一のローラユニット１１４ｃと、第二のローラユニット１１４ａ、ｂ、ｄ、ｅを備えている。第一のローラユニット１１４ｃは、従動ローラ１０３ｃ（第一のローラ）と、従動ローラホルダー５０１ｃ（第一のローラ保持部）と、従動ローラ押圧手段４０３ｃ（第一の付勢部）を備えている。従動ローラホルダー５０１ｃは、従動ローラ１０３ｃよりもシート搬送方向の下流に延伸したガイド面Ｌ４（第一の延伸部）を備えている。第二のローラユニット１１４ａ、ｂ、ｄ、ｅは、従動ローラ１０３ａ、ｂ、ｄ、ｅ（第二のローラ）と、従動ローラホルダー５０１ａ、ｂ、ｄ、ｅ（第二のローラ保持部）と、従動ローラ押圧手段４０３ａ、ｂ、ｄ、ｅ（第二の付勢部）を備えている。従動ローラホルダー５０１ａ、ｂ、ｄ、ｅは、従動ローラ１０３ａ、ｂ、ｄ、ｅよりもシート搬送方向の下流に延伸したガイド面Ｌ３（第二の延伸部）を備えている。ガイド面Ｌ３はガイド面Ｌ４よりも延伸している量が多い（Ｌ３＞Ｌ４）。
【００７０】
以上の構成にすることによって、原稿の後端が駆動ローラ２０７と、従動ローラ１０３のニップを通過した際に、原稿は異なる長さの搬送ガイド面Ｌ３、Ｌ４を有する従動コロホルダー５０１によりガイドされることとなる。そして、搬送ガイド面の長さが短い（Ｌ４）従動コロホルダー５０１ｃが配置されている箇所では、搬送ガイド面の長さが長い（Ｌ３）従動コロホルダー５０１ａ、ｂ、ｄ、ｅが配置されている箇所よりも早い段階で搬送ガイド１０１に原稿の後端が着地する。このように、搬送ガイド面の長さＬ３／Ｌ４にＬ３＞Ｌ４の関係を持たせることによって、原稿の後端が搬送ガイド１０１に着地するタイミングをずらすことができ、後端抜けショックを低減することができる。
【００７１】
（その他）
実施形態３、４では、全ての従動ローラホルダーに原稿をガイドするガイド面がある構成で説明したが、ガイド面がない従動ローラホルダーと、ガイド面の長さが異なる従動ローラホルダーを組み合わせてもよい。例えば、シート搬送方向と直交する方向の一番外側の従動ローラホルダーはガイド面をなくし、一つ内側の従動ローラホルダーは短いガイド面を有し、さらに内側の従動ローラホルダーは長いガイド面を有するようにしてもよい。
【符号の説明】
【００７２】
１０１  搬送ガイド
１０２  回動軸
１０３ａ、ｂ、ｃ、ｄ、ｅ  従動ローラ
１０４ａ、ｂ、ｃ、ｄ、ｅ  従動ローラホルダー
１０８  搬送ガイド面
２０１  シート搬送装置
２０２  画像読取装置
２０３  給送シート載置部
２０７  駆動ローラ
３０１ａ、ｂ、ｃ、ｄ、ｅ  従動ローラホルダー（両端部のうちの１つ）
４０１ａ、ｂ、ｃ、ｄ、ｅ  従動ローラホルダー
４０３ａ、ｂ、ｃ、ｄ、ｅ  従動ローラ押圧手段
５０１ａ、ｂ、ｃ、ｄ、ｅ  従動ローラホルダー
Ｌ１  従動ローラホルダー４０１の搬送ガイド面
Ｌ２  従動ローラホルダー４０１の搬送ガイド面
Ｌ３  従動ローラホルダー５０１の搬送ガイド面
Ｌ４  従動ローラホルダー５０１の搬送ガイド面
６０１  画像形成装置
６０２  画像形成部本体
６０３  給紙カセット
６０４  本体排紙部
【図１】
0006463127.tif 000002
【図２】
0006463127.tif 000003
【図３】
0006463127.tif 000004
【図４】
0006463127.tif 000005
【図５】
0006463127.tif 000006
【図６】
0006463127.tif 000007